(57)【要約】 【課題】  本発明は、ポリスチレン樹脂系発泡シート或いは紙等を用いた即席麺等の御椀形状の断熱容器の底部を除く外周面に該容器に合致した形状で該外周面を覆うことのできる紙製包装材の提供を課題とする。【解決手段】  係る課題は、略御椀形状の成形芯金に略扇状の紙製シートを巻きつけ、雌型金型で当接して形成する紙製の包装体であり、成形芯金には底部に向かって多数の徐々に深くなる切れ込み部を有し、雌型金型は成形芯金に合致する形状を有し、成形芯金と雌型金型とで挟み込んで当接することによって、該包装体の内周面方向に折り込み部を形成すると共に略御椀形状に形成する紙製の包装体によって解決できる。【選択図】    図１
2010070237.tif 000002
【特許請求の範囲】
【請求項１】
略御椀形状の容器の外周面を覆う紙製の包装体であって、
略御椀形状の成形芯金２に略扇状の紙製シート１を巻きつけ、更に雌型金型３で当接して形成する紙製の包装体であり、
成形芯金２には本体の中央部２１から底部２３に向かって多数の切れ込み部２５を有するものであって、該切れ込み部２５は底部方向に行くに従ってその深さを深く形成するものであり、
雌型金型３に成形芯金２の中央部２１から底部形状にかけて合致する形状を有すると共に成形芯金２の切れ込み部２５に対応した多数の突出辺部３５を有するものであり、
略扇状の紙製シート１を成形芯金２と雌型金型３とで挟み込んで当接することによって、該包装体の内周面方向に折り込み部１５を形成すると共に略御椀形状に形成することを特徴とする紙製の包装体。
【請求項２】
成形芯金２と雌型金型３とで略扇状の紙製シート１を挟み込んで当接すると共に押圧して成形することを特徴とする請求項１記載の紙製の包装体。
【請求項３】
該包装体の内周面方向の折り込み部１５を包装体の曲面形状の内周面に折り込んで、内周面での突出辺部をなくしたことを特徴とする請求項１又は２のいずれかに記載の紙製の包装体。
【請求項４】
略御椀形状の容器がポリスチレン樹脂系発泡シート等を用いた即席麺等の断熱容器であることを特徴とする請求項１乃至３のいずれかに記載の紙製の包装体。
【請求項５】
略御椀形状の成形芯金２を半円球状としたことを特徴とする請求項１乃至４のいずれかに記載の紙製の包装体。
【請求項６】
略御椀形状の成形芯金２を三角以上の多角形状からなる逆さにした角錐形状に形成し、該略扇状の紙製シート１を角錐状の略御椀形状の周面形状に形成することを特徴とする請求項１乃至４のいずれかに記載の紙製の包装体。
【請求項７】
略御椀形状の容器の外周面を覆う紙製の包装体の製造方法であって、
略御椀形状の成形芯金２に略扇状の紙製シート１を巻きつける工程と
該巻きつけた状態で雌型金型３を当接して略扇状の紙製シート１を成形芯金２と雌型金型３とで挟み込んで当接する工程とからなり、
該成形芯金２には本体の中央部から底部に向かって多数の切れ込み部２５を有し、該切れ込み部２５は底部２３方向に行くに従ってその深さを深く形成しており、
該雌型金型３は成形芯金２の中央部から底部形状にかけて合致する形状を有すると共に成形芯金２の切れ込み部２５に対応した多数の突出辺部３５を有するものであり、
略扇状の紙製シート１を成形芯金２と雌型金型３とで挟み込んで当接することによって、該包装体の内周面方向に折り込み部１５を形成すると共に略御椀形状に形成することを特徴とする紙製の包装体の製造方法。
【請求項８】
該巻きつけた状態で雌型金型３を当接して略扇状の紙製シート１を成形芯金２と雌型金型３とで挟み込んで当接する工程が、少なくとも一定の圧をもって押圧する工程からなることを特徴とする請求項７記載の紙製の包装体の製造方法。
【請求項９】
更に、形成した該包装体の内周面方向の折り込み部１５を包装体の曲面形状の内周面に折り込んで、内周面での突出辺部をなくす工程を有することを特徴とする請求項７又は８のいずれかに記載の紙製の包装体の製造方法。
【請求項１０】
略御椀形状の成形芯金２を半円球状とすることを特徴とする請求項７乃至９のいずれかに記載の紙製の包装体の製造方法。
【請求項１１】
略御椀形状の成形芯金２を三角以上の多角形状からなる逆さにした角錐形状に形成し、該略扇状の紙製シート１を角錐状の略御椀形状の周面形状に形成することを特徴とする請求項７乃至９のいずれかに記載の紙製の包装体の製造方法。
【発明の詳細な説明】
【技術分野】
【０００１】
本発明は、発泡樹脂等によって構成される断熱容器に関しての紙製の包装体であって、特に即席麺等の御椀形状の発泡樹脂等の断熱容器の外周を包装する紙製の包装体及びその製造方法に関する。
【背景技術】
【０００２】
従来より、ポリスチレン樹脂系発泡シート等を用いて即席麺等の御椀形状に容器を形成し、これを断熱容器として用いて多用しているものである。
この場合、例えば該容器の表面における印刷等はよりキレイに行なうために他の樹脂フィルムを用いて、該容器の外周を該樹脂フィルムで覆うものが用いられてきている。
【０００３】
例えば、特開平６−３３９９９号(特許文献１) や特開２００１−１７５１７９号(特許文献２)等が存在する。
更に、断熱性を高めるために不織布との重積等によってラベルを構成する特開平８−１２６６６３号(特許文献３)や特開２００５−９７７７２号(特許文献４)、特開２００５−３３８３０４号(特許文献５)が存在する。
【特許文献１】特開平６−３３９９９号
【特許文献２】特開２００１−１７５１７９号
【特許文献３】特開平８−１２６６６３号
【特許文献４】特開２００５−９７７７２号
【特許文献５】特開２００５−３３８３０４号
【発明の開示】
【発明が解決しようとする課題】
【０００４】
以上の様に、ポリスチレン樹脂系発泡シート等を用いた御椀形状の即席麺等の断熱容器は、その外周に対して印刷可能な層を設けるために例えば熱収縮性フィルムを該容器の外周に位置させるものである。
この場合、特に御椀形状である開口部が広縁からなり、ほぼ該容器の中央部までは若干量該開口口径を少しずつだけ狭めるが、底部近傍で急に口径を狭く構成して大容量の内容量を確保する略御椀形状である丼形の容器にあっては、該容器の底部を除く外周面に該包装材できっちりと覆うためには、低温で収縮性のある樹脂フィルムを用いてきっちりと密着して配置するか、或いはそもそも発泡樹脂シートを積層シートとして構成して、一体にて成形することが必要であった。
【０００５】
従って、このように構成した場合、例えば予め印刷した樹脂フィルムにおいては、断熱容器に熱収縮によって密着成形する場合や多層シートでの一体成形の場合には、どうしても収縮や成形に伴うズレなどが生ずるものであり、印刷状態の高品質化は図りにくいものであった。
更に、従来は、容器自体の形状が略御椀形状である丼形の容器であることから、概容器の外周が円弧形状であって、底部方向において急に幅是間に狭まる形状であることから該形状の外周にキレイに包装材を配置するためには、該形状に合致するような伸縮性を有する樹脂材が用いられてきたものであり、係るためにどうしても樹脂材が多用されるものであった。
【０００６】
これは紙材を用いた場合には、容器の外周に巻きつけた場合には底部方向に皺が生じてしまうものであるか、或いは底部方向が容器から離れて浮いた状態となるか或いは幅狭の帯状の巻き付けだけしかできないものであり、実用性に欠けていたものである。
特に印刷の容易性や見栄えのよさ等と共に、資源としてのリサイクル性或いは使用者側の要請等各種の面で現在紙の活用が望まれているが、前記の点でこのような御椀形の断熱容器には用いられてはいなかったものである。
【０００７】
係るため、このようなポリスチレン樹脂系発泡シート等を用いた即席麺等の御椀形状の断熱容器の底部を除く外周面に該容器に合致した形状で該外周面を覆うことのできる紙製包装材の提供を課題とするものである。
【課題を解決するための手段】
【０００８】
係るため本発明に係る請求項１記載の発明は、略御椀形状の容器の外周面を覆う紙製の包装体であって、略御椀形状の成形芯金に略扇状の紙製シートを巻きつけ、更に雌型金型で当接して形成する紙製の包装体であり、成形芯金には本体の中央部から底部に向かって多数の切れ込み部を有するものであって、該切れ込み部は底部方向に行くに従ってその深さを深く形成するものであり、雌型金型に成形芯金の中央部から底部形状にかけて合致する形状を有すると共に成形芯金の切れ込み部に対応した多数の突出辺部を有するものであり、略扇状の紙製シートを成形芯金と雌型金型とで挟み込んで当接することによって、該包装体の内周面方向に折り込み部を形成すると共に略御椀形状に形成する紙製の包装体であり、係る発明によって前記課題を解決できる。
【０００９】
又、請求項２に係る発明は、成形芯金と雌型金型とで略扇状の紙製シートを挟み込んで当接すると共に押圧して成形する紙製の包装体であり、係る発明でも同様である。
更に、請求項３に係る発明の様に該包装体の内周面方向の折り込み部を包装体の曲面形状の内周面に折り込んで、内周面での突出辺部をなくした紙製の包装体を用いてもよい。
【００１０】
もとより、請求項４に係る発明のように略御椀形状の容器がポリスチレン樹脂系発泡シート等を用いた即席麺等の断熱容器であることによって、最適に用いることがでる。
これらの場合、請求項５に係る発明のように略御椀形状の成形芯金を半円球状としたものでも、或いは請求項６に係る発明の様に略御椀形状の成形芯金を三角以上の多角形状からなる逆さにした角錐形状に形成し、該略扇状の紙製シートを角錐状の略御椀形状の周面形状に形成した紙製の包装体でもよい。
【００１１】
これらの他、請求項７に係る発明の様に略御椀形状の容器の外周面を覆う紙製の包装体の製造方法であって、略御椀形状の成形芯金に略扇状の紙製シートを巻きつける工程と、該巻きつけた状態で雌型金型を当接して略扇状の紙製シートを成形芯金と雌型金型とで挟み込んで当接する工程とからなり、該成形芯金には本体の中央部から底部に向かって多数の切れ込み部を有し、該切れ込み部は底部方向に行くに従ってその深さを深く形成しており、該雌型金型は成形芯金の中央部から底部形状にかけて合致する形状を有すると共に成形芯金の切れ込み部に対応した多数の突出辺部を有するものであり、略扇状の紙製シートを成形芯金と雌型金型とで挟み込んで当接することによって、該包装体の内周面方向に折り込み部を形成すると共に略御椀形状に形成する紙製の包装体の製造方法を用いることによって、最適な紙製の包装体を製造できるものである。
【００１２】
この場合、請求項８に係る発明の様に該巻きつけた状態で雌型金型を当接して略扇状の紙製シートを成形芯金と雌型金型とで挟み込んで当接する工程が、少なくとも一定の圧をもって押圧する工程からなるものであっても、或いは請求項９に係る発明の様に、更に形成した該包装体の内周面方向の折り込み部を包装体の曲面形状の内周面に折り込んで、内周面での突出辺部をなくす工程を有する紙製の包装体の製造方法を用いるものであってもよい。
【００１３】
これらの場合、請求項１０に係る発明の様に略御椀形状の成形芯金を半円球状とするものでも、請求項１１に係る発明の様に略御椀形状の成形芯金を三角以上の多角形状からなる逆さにした角錐形状に形成し、該略扇状の紙製シートを角錐状の略御椀形状の周面形状に形成するものでもよい。
【発明の効果】
【００１４】
以上のように構成したことからまず請求項１に係る発明によって、紙製シートをもって略御椀形状の丼形状の外表面に合致するきれいな曲面を有する紙製の包装体の提供ができるものである。
従って紙であるにも拘らず皺などを有さないきれいな外表面を形成できるものであり、又紙製ゆえ簡単かつ安価に又キレイな表面印刷などが行なえ、きれいにかつ任意な装飾や表示を行なった包装を可能とするものである。
更に、該包装体の内周面方向に折り込み部によって、略御椀形状の容器との間に少なくとも折り込み部の幅の隙間を有するものであって、空気層を構成することができることから断熱効果を発揮することもできる。
【００１５】
次に請求項２に係る発明によって紙製シートをよりきっちりと成形できるものであって、折り込み部等をよりきっちりと形成できるものとなる。
又、請求項３に係る発明によって、折り込み部を包装体の内表面に折り込めることから、容器の外周に設置するに際して、容器との接触面をより多く取れるものであり、接着などの効果を高めることができる。
更に請求項４に係る発明によってポリスチレン樹脂系発泡シート等を用いた即席麺等の断熱容器の包装体として用いることができ、従来の樹脂シートやフィルムを使用せずとも見栄えのよい包装体の提供を可能とするものである。
【００１６】
これらの場合請求項５に係る発明によれば半円球状の御椀形状に合致した包装体が成形でき、又請求項６に係る発明によれば三角以上の多角形状からなる逆さにした角錐形状の御椀形状に合致した包装体が成形できる。
次に請求項７に係る発明によって、紙製シートをもって略御椀形状の丼形状の外表面に合致するきれいな曲面を有する紙製の包装体の製造が可能となるものである。
又、請求項８に係る発明によって紙製シートよりなる包装体の成形をきっちり行なうことができ、折り込み部等をよりきっちりと形成した製造を可能とするものである。
【００１７】
尚、請求項９に係る発明によって、更に形成した該包装体の内周面方向の折り込み部の突出部分をなくすことができるものである。
更に請求項１０に係る発明によれば半円球状の御椀形状に合致した包装体を得られ、請求項１１に係る発明によれば三角以上の多角形状からなる逆さにした角錐形状の御椀形状に合致した包装体が得られるものである。
【発明を実施するための最良の形態】
【００１８】
図１は、本発明に係る断熱容器の外周を包装する紙製の包装体の製造工程の一例を示す図である。
この構成は、略扇状の薄手の紙製のシート１と、これを巻き込むための成形芯金２であるマンドレルからなるものである。
先ず成形芯金２は、ポリスチレン樹脂系発泡シート等を用いた御椀形状の即席麺等の断熱容器の外周形を模った形状であって、上縁部２０は広縁であって、該芯金の中央部２１までは若干量該開口口径を少しずつだけ狭めるが、中央部からさらに底部方向の底部近傍２２で急に口径を狭く構成した略御椀形状である丼形状の容器をかたどった形状よりなるものである。
【００１９】
更にこの成形芯金２の底部方向の周面には切れ込みを有しているものである。
この切れ込み部２５は、該成形芯金２の底部近傍で急に口径を狭くなる直前の位置辺りから底部２３に掛けて設けられたものであり、底部方向に行くに従って切れ込み部２５の深さが深くなるように構成されているものである。
このような切れ込み部２５が芯金２の周面であって該芯金２の軸心方向に向かって多数設けられているものである。
【００２０】
このように構成した芯金２に対して配置した紙製のシート１を、更に両側からアーム状のフラップ（図示しない）によって成形芯金２に巻きつけて容器形状に成形するものである。
従って、巻きつけに際して該紙製シート１はこの芯金２の切れ込み部２５に押し込まれることとなり、底部方向の形状をすぼめた形状でこの紙製シート１を形成できる。
【００２１】
図２は、成形芯金２の一例の断面図を示すものであり、本図に示すように成形芯金２は、その上縁部２０を広縁とし、さらに中央部付近２１までは該開口口径を少しずつだけ狭めるものであって、更に底部方向２２、２３では急に口径を狭くした略御椀形状である丼形状よりなる。
更に、本体の中央部２２よりやや下方向の急に口径を狭くなる近傍から、該芯金２に切れ込み部２５が形成されており、底部にいくに従って該切れ込み部２５はその深さを深く形成するものである。
【００２２】
これは、紙製シート１を巻きつけた際に、巻きつけに際して例えば皺等となるような余分で不要なシート部分はこの切れ込み部２５に巻き込まれることとなって、巻きつけたシート地の該表面における不要な部分はこの折り込み部２５で内部方向に折り込まれ、外表面はキレイな曲面形状に形成されるものである。
【００２３】
図３は、本発明に係る紙製の包装体を成形する成形芯金の一例の底部から視認した図である。
本図に示すように芯金２の底部方向に向かってその該表面に切れ込み部２５を有しているものであって、芯金２の内部方向に向かって凹み部として形成されるものである。
特に底部にいくに従ってその凹みは深く形成されているものである。
【００２４】
図４は、紙製のシートの一例を示す図である。
本図に示すように略扇状の紙製のシートを用いるものである。
この場合、薄手の紙製シートが最もよいが、これに限らず、折り込み可能な厚手の紙製のシートをもって構成してもよい。
もとより、紙を用いた複合シート或いは多層シート等であってもよいのはもちろんである。
従って、少なくとも紙製シートからなるものであるが、これに樹脂シートをラミネート等した紙製のシートでもよいものである。
【００２５】
又、成形芯金に巻き込むに際して予めこの紙製シートに印刷等を施したものを使用するものであってももちろんよい。
尚、本図に示す構成は一例であって、この円弧形状の曲線はより深いものでも或いは浅いものであってもいずれでもよい。
又、幅方向の長さや高さ方向の長さなどにおいてもそれぞれ必要に応じて任意に定めればよいものである。
【００２６】
図５は、更に前記した成形芯金２に前記の紙製シート１を巻きつけた状態の一例を示す図であり、例えばアーム状のフラップによってこの紙製のシート１を成形芯金２に巻きつけた一例を示す図である。
このように成形芯金２に巻きつけたシート１は、成形芯金２の上部周縁２０近傍においては芯金２に巻きついて芯金形状を表出するものであるが、底部２３方向においては芯金２から離れて略円筒形状に巻きつけられるものである。
従って、この段階では単なる円筒状にシート１が巻きついた状態となり、芯金形状である略御椀形状とはなっていない。
【００２７】
以上より先ずこの工程によって成形芯金２にシート１が巻きつけられるものとなる。
尚、本説明においてはフラップをもって両側方向から芯金２を中心として巻き込む例を示すが、このようなフラップをもって芯金２に巻きつけるものの他、例えば回転する巻き込みローラに紙製シートを巻きつけて成形するものであってもよい。
例えば補助ローラ等で当接してきれいに巻きつける巻き込みローラに巻きつける等のことによって巻きつき状態とするものであってもよい。
又、例えば糊代部をもってその部分で接着成形して、一定の形態を維持するものであってもよい。
【００２８】
図６は、更に次の工程を示す図であり、図５に示した成形芯金２に巻きつけた状態で雌型金型３によって成形芯金２の底部方向を押圧するものである。
この雌型金型３は成形芯金２の中央部から底部形状にかけて合致する形状を有しており、底部の外周面の外周形状よりなる曲面形態に対応していると共に成形芯金２の切れ込み部２５に対応した多数の突出辺部３５を有している。
【００２９】
図７は、成形芯金２に紙製のシート１を巻きつけた状態で更に雌型金型３を成形芯金２に当接すると共に圧着する一例を示す図である。
このように当接すると、雌型金型３の突出辺部３５によって紙製シート１が成形芯金２の切れ込み部２５に巻き込まれると共にその状態で成形されるものである。
図８は、更に雌型金型３を当接して例えば一定の圧をかけた押圧状態から、更に引き離した一例を示す。
本図に示すように成形芯金２には、その形状に成形された紙製シート１が巻き付いた状態となる。
【００３０】
従って、このまま該成形した紙製シート１はそのまま紙製の包装体の形状となるものであり、成形芯金２から外すことによって、取り出すことができる。
尚、本包装体に関しては、成形芯金２の切れ込み部２５と雌型金型３の突出辺部３５によって成形された内部方向即ち内周面方向に折り込み部１５を有するものであるが、外表面に関してはきれいな曲面を形成するものとなる。
【００３１】
図９は、更にポリスチレン樹脂系発泡シート等を用いた御椀形状の即席麺等の断熱容器Ｃに対して、本発明に係る紙製の包装体を装着する状態の一例を示す図である。
該紙製包装体１は、上部に開口縁１０を有すると共に底部も同様に開口縁１１を有し、容器とほぼ同様の御椀形状よりなるものであって、この底部の開口縁によって形成される孔に例えば断熱容器の高台を挿入することができる。
尚、本明細書上、断熱用容器を前提として説明するが、本紙製の包装体はポリスチレン樹脂系発泡シート等を用いた即席麺等用の断熱容器に限らず他の容器に用いるものであってももちろんよい。
例えば紙製などの断熱容器に対して用いるものであってもよい。
従って、該容器の形状に合致した形状よりなる紙製の包装体は、そのまま断熱容器を装着できるものとなる。
【００３２】
図１０は、本発明に係る紙製の包装体１をポリスチレン樹脂系発泡シート等を用いた即席麺等用の断熱容器Ｃに装着した一例を示す図である。
このように構成するときっちりと外周面を紙製の包装体によって覆うことができ、各種任意の印刷等をその表面に行なうことができ、所要のデザインや表示を用いた装飾を施すことが低廉にかつ簡単に行なえるものである。
更にも形状の見栄えもよいものとなる。
【００３３】
尚、断熱容器と紙製の包装体とは例えば接着部材等で接着するものであればよく、例えば容器の開口部近傍において接着するものであっても、或いは包装体の内部方向に突出形成している折り込み部１５において断熱容器と接着するものであってもよい。
或いは、その他例えば任意の係止具等を用いて断熱容器の外周に包装体を装着するものであってもよい。
【００３４】
特に、該断熱容器と紙製の包装体の間に前記折り込み部１５によって形成した隙間が生ずるものであり、その隙間によって更なる断熱効果を発揮させることもできる。
尚、図８に示す構成によって折り込み部１５を有する包装体から更に、該折り込み部１５を包装体１の曲面形状の内周面に折り込んで、内周面での突出辺部をなくして、そのまま断熱容器に装着するものであってもよい。
即ち、例えば折り込み部１５の内周面への折り込み工程を有するものであってもよい。
【００３５】
図１１は、本発明の他の一例を示す図である。
前図までに図示する御椀形状はきれいな曲面を有する半円球状の断熱容器を明示するが、これに限定されずに図１１に示すように周面に角を有する三角以上の多角形状の御椀形状即ち逆さにした角錐形状の断熱容器に用いるものであってもよい。
この場合には例えば成形芯金２に関して、半円球状に代えてその形状を周面に角を有する三角以上の多角状の御椀形状即ち逆さにした角錐形状とすることによって、この形状に巻きつけられた略扇状の紙製シート１は、角錐状の略御椀形状の周面形状を形成する形状となり、該逆さにした角錐形状の容器の周面に装着できるものである。
尚、成形芯金２の中央部２１近傍まで角錐形状となり、成形芯金の底部近傍２２においては半球形状として形成された一例を示すものであるが、底部近傍においても周面に角部を有するものであってももちろんよく、この形状も御椀形状に含まれるものである。
【００３６】
尚、紙製シートに関しては、紙のみで構成されたシートの他、樹脂とのラミネート或いはコーティング等を行なった紙製の多層シートを用いたものであってももちろんよい。  本発明上、紙製シートにもこのようにシートを含むものである。
【図面の簡単な説明】
【００３７】
【図１】本発明に係る紙製の包装体の製造工程の一例を示す図
【図２】図１に示す成形芯金の断面図
【図３】本発明に係る紙製の包装体の成形芯金の一例を底部から視認した図
【図４】本発明に係る紙製の包装体の紙製のシートの一例を示す図
【図５】本発明に係る紙製の包装体の製造工程の一例を示す図であり、成形芯金に紙製シートを巻きつけた状態の一例を示す図
【図６】本発明に係る紙製の包装体の製造工程の一例を示す図であり、成形芯金に紙製シートを巻きつけた状態で雌型金型を近づけた状態の一例を示す図
【図７】本発明に係る紙製の包装体の製造工程の一例を示す図であり、成形芯金に紙製シートを巻きつけた状態で雌型金型を当接させた状態の一例を示す図
【図８】本発明に係る紙製の包装体の製造工程の一例を示す図であり、更に雌型金型を引き離した一例を示す図
【図９】御椀形状の断熱容器に、本発明に係る紙製の包装体を装着する状態の一例を示す図
【図１０】御椀形状の断熱容器に、本発明に係る紙製の包装体を装着した一例を示す図
【図１１】本発明に係る紙製の包装体の製造工程の他の一例を示す図
【符号の説明】
【００３８】
１  紙製シート
１５  折り込み部
２  成形芯金
２０  成形芯金の上縁部
２１  成形芯金の中央部
２２  成形芯金の底部近傍
２３  成形芯金の底部
２５  切れ込み部
３  雌型金型
３５  突出辺部
【図１】
2010070237.tif 000003
【図２】
2010070237.tif 000004
【図３】
2010070237.tif 000005
【図４】
2010070237.tif 000006
【図５】
2010070237.tif 000007
【図６】
2010070237.tif 000008
【図７】
2010070237.tif 000009
【図８】
2010070237.tif 000010
【図９】
2010070237.tif 000011
【図１０】
2010070237.tif 000012
【図１１】
2010070237.tif 000013